(57)【要約】【課題】登録者になりすまして管理区域の入退室を試みる未登録者の行為を抑制することで、管理区域のセキュリティの向上を図った入退室管理システムを提供する。【解決手段】ホスト装置１０は、管理区域２の入退室を希望している認証対象者のテレビ電話機能を有する携帯電話９に架電し、認証対象者の顔画像を取得する。そして、取得した顔画像を用いて、認証対象者が登録者であるかどうかを判定する顔認証処理を行う。ホスト装置１０は、この顔認証処理で、認証対象者が登録者であると判定すると、管理区域２の扉６に取り付けられている電子錠７を一時的に解錠する。また、認証対象者が登録者でないと判定すると、この認証対象者をエリア１内や管理区域２内に閉じ込める。【選択図】図１
2008266988.tif 000002
【特許請求の範囲】
【請求項１】
エリア内に設けた管理区域における入退室者を管理する入退室管理システムであって、
前記エリアの出入口、および前記管理区域の出入口に設けられている開閉体毎に、その開閉体に取り付けられている電子錠の施錠、解錠を制御する施錠・解錠手段、
を備えた電子錠制御装置と、
前記管理区域の出入口に設けられ、
媒体が記憶している識別情報を読み取る識別情報読取手段、および、
前記識別情報読取手段が読み取った識別情報を出力する識別情報出力手段
を備えた識別情報読取装置と、
前記媒体の識別情報と、その識別情報に対応するテレビ電話通信機能を有する携帯端末の電話番号と、さらに、その識別情報に対応する登録者の顔の特徴量と、を関連づけて記憶する認証情報記憶手段、
前記識別情報読取装置の識別情報出力手段が出力した識別情報を取得する識別情報取得手段、
前記識別情報取得手段が取得した識別情報に関連づけて、前記認証情報記憶手段が記憶している電話番号の携帯端末に架電し、当該携帯端末とのテレビ電話通信で、認証対象者の顔画像を取得する顔画像取得手段、
前記顔画像取得手段が取得した認証対象者の顔画像と、前記認証情報記憶手段が該当する識別情報に関連づけて記憶している登録者の顔の特徴量と、に基づいて、認証対象者が適正な登録者であるかどうかを判定する顔認証処理を行う顔認証手段、および、
前記顔認証手段が認証対象者を適性な登録者であると判定した場合に、当該識別情報を媒体から読み取った前記識別情報読取装置が設けられている前記管理区域の出入口の開閉体に取り付けられている電子錠の解錠を前記電子錠制御装置に指示し、反対に前記顔認証手段が認証対象者を適性な登録者でないと判定した場合に、前記エリアの出入口の開閉体に取り付けられている電子錠の施錠を前記電子錠制御装置に指示する指示手段、
を備えたホスト装置と、
を有する入退室管理システム。
【請求項２】
前記ホスト装置は、
前記顔画像取得手段が、認証対象者の顔画像を複数フレーム取得する手段であり、
前記顔認証手段が、前記顔画像取得手段が取得した複数フレームの認証対象者の顔画像を用いて、この認証対象者の顔画像が生体を撮像したものであるかどうかを判定し、生体でないと判定した場合に、前記顔認証処理を行うことなく、認証対象者を適正な登録者でないと判定する手段である、
請求項１に記載の入退室管理システム。
【請求項３】
前記ホスト装置は、
前記顔画像取得手段が、架電した携帯端末から前記管理区域への入退室を希望しているかどうかにかかる応答を受信する機能を有し、
前記顔認証手段が、前記顔画像取得手段が前記管理区域への入退室を希望していない旨の応答を受信した場合に、前記顔認証処理を行うことなく、認証対象者を適正な登録者でないと判定する手段である、
請求項１、または２に記載の入退室管理システム。
【請求項４】
前記ホスト装置は、
無効媒体の識別情報を記憶するネガ情報記憶手段と、
前記識別情報取得手段が取得した識別情報が、前記ネガ情報記憶手段が記憶する無効媒体の識別情報であるかどうかを判定し、無効媒体であると判定した場合に、前記顔画像取得手段による携帯端末への架電を行うことなく、認証対象者を適正な登録者でないと判定するネガチャック手段と、を備え、
前記指示手段が、前記ネガチャック手段により認証対象者を適性な登録者でないと判定した場合にも、前記エリアの出入口の開閉体に取り付けられている電子錠の施錠を前記電子錠制御装置に指示する手段である、
請求項１〜３のいずれかに記載の入退室管理システム。
【請求項５】
さらに、カメラで撮像した前記管理区域の出入口周辺の撮像画像を録画する録画手段、
を備えた監視装置を有し、
前記ホスト装置は、
前記指示手段は、認証対象者が適性な登録者でないと判定され、これにともなって前記エリアの出入口の開閉体に取り付けられている電子錠の施錠を前記電子錠制御装置に指示したときに、当該識別情報を媒体から読み取った前記識別情報読取装置が設けられている前記管理区域の出入口周辺の撮像画像の録画開始を、前記監視装置に指示する録画指示機能を有する手段ある、
請求項１〜４のいずれかに記載の入退室管理システム。
【発明の詳細な説明】
【技術分野】
【０００１】
この発明は、エリア内に設けた管理区域における入退室者を管理する入退室管理システムに関する。
【背景技術】
【０００２】
入退室管理システムは、管理区域における入退室者を管理することにより、当該管理区域のセキュリティを確保するシステムである。入退室管理システムは、管理区域毎に、入退室が許可されていない人（以下、未登録者と言う。）の出入りを拒否し、入退室が許可されている人（以下、登録者と言う。）の出入りを許容する。管理区域とは、入退室できる人を制限した区域であり、例えば、建物全体や、建物内の部屋単位で設定される。
【０００３】
一般的な入退室管理システムでは、登録者に対して、識別情報（以下、ＩＤと言う。）を記憶したカード等の媒体を発行している。管理区域の出入口に設けられた扉には電子錠が取り付けられている。また、この扉を挟んだ両側、すなわち管理区域内側および管理区域外側、には、媒体からＩＤを読み取る読取装置が配置されている。扉の電子錠は、通常施錠されており、管理区域に入退室する登録者がいるときに一時的に解錠される。具体的には、読取装置が、管理区域の入退室を希望する認証対象者が所持する媒体からＩＤを読み取り、ホスト装置に送信する。ホスト装置は、読取装置が媒体から読み取ったＩＤに対して、電子錠の解錠可否、すなわち登録者であるかどうか、を判定する。ホスト装置が登録者であると判定すると、電子錠が一時的に解錠される。
【０００４】
また、認証対象者が登録者であるかどうかの認証に、認証対象者の生体情報を用いる入退室管理システムも提案されている（特許文献１参照）。この特許文献１では、携帯電話等の携帯端末を利用し、認証対象者が自分の顔、指紋、声、目等の生体情報を携帯端末に読み取らせる。そして、携帯端末が、読み取った認証対象者の生体情報とともに電子錠の施錠や解錠要求をインタネット等を介してセンタのホスト装置に送信する。ホスト装置は、携帯端末から送信されてきた生体情報を用いて認証対象者が登録者であるかどうかの認証（生体認証）を行い、登録者であると認証した場合に、要求された管理区域の電子錠の解錠を指示する。
【特許文献１】特開２００５−  ３６５２３号公報
【発明の開示】
【発明が解決しようとする課題】
【０００５】
しかしながら、従来の入退室管理システムは、登録者が紛失や盗難にあった媒体や、登録者に発行されている媒体を偽造した偽造媒体を使って、登録者になりすまして管理区域の入退室を試みる未登録者の行為を抑制するものではなかった。そして、登録者になりすまして管理区域の入退室を試みる未登録者の存在は、管理区域のセキュリティを低下させる要因であった。したがって、従来の入退室管理システムでは、管理区域のセキュリティの低下が十分に抑えられていないという問題があった。
【０００６】
この発明の目的は、登録者になりすまして管理区域の入退室を試みる未登録者の行為を抑制することで、管理区域のセキュリティの向上を図った入退室管理システムを提供することにある。
【課題を解決するための手段】
【０００７】
この発明の入退室管理システムは、上記課題を解決するために以下ように構成している。
【０００８】
この入退室管理システムは、エリア内に設けた管理区域における入退室者を管理するシステムであり、電子錠制御装置、識別情報読取装置、およびホスト装置を備えている。電子錠制御装置の施錠・解錠手段が、前記エリアの出入口、および前記管理区域の出入口に設けられている扉等の開閉体毎に、その開閉体に取り付けられている電子錠の施錠、解錠を制御する。また、識別情報読取装置は、前記管理区域の出入口に設けており、管理区域の入退室を希望する認証対象者が所持する媒体が記憶している識別情報を読み取る。また、識別情報出力手段が前記識別情報読取手段が読み取った識別情報を出力する。
【０００９】
また、ホスト装置は、前記媒体の識別情報と、その識別情報に対応するテレビ電話通信機能を有する携帯端末の電話番号と、さらに、その識別情報に対応する登録者の顔の特徴量と、を関連づけて認証情報記憶手段に記憶している。ホスト装置は、識別情報取得手段が前記識別情報読取装置の識別情報出力手段が出力した識別情報を取得すると、顔画像取得手段が、ここで取得した識別情報に関連づけて前記認証情報記憶手段が記憶している電話番号の携帯端末に架電し、当該携帯端末とのテレビ電話通信で認証対象者の顔画像を取得する。そして、顔認証手段が、取得した認証対象者の顔画像と、認証情報記憶手段に記憶している該当する登録者の顔の特徴量と、に基づいて、認証対象者が登録者であるかどうかを判定する。さらに、ホスト装置の指示手段が、顔認証手段により認証対象者が登録者でないと判定すると、前記エリアの出入口の開閉体に取り付けられている電子錠の施錠を前記電子錠制御装置に指示する。
【００１０】
したがって、登録者になりすまして管理区域の入退室を試みる未登録者の存在を検知したときには、この未登録者を前記エリアに封じ込めることができる。これにより、登録者になりすまして管理区域の入退室を試みる未登録者の行為を抑制することができ、管理区域のセキュリティの向上が図れる。
【００１１】
また、前記顔画像取得手段により、認証対象者の顔画像を複数フレーム取得し、前記顔認証手段において、前記顔画像取得手段が取得した複数フレームの認証対象者の顔画像を用いて、この認証対象者の顔画像が生体を撮像したものであるか、写真等の非生体を撮像したものであるかを判定する機能を設けてもよい。この判定は、取得した複数フレームの顔画像において、目や口等の顔部品に変化があれば生体であると判定し、変化がなければ写真等の非生体を撮像したものであると判定すればよい。また、前記顔認証手段が、生体でないと判定した場合には、前記顔認証処理を行うことなく、認証対象者を適正な登録者でないと判定することで、ホスト装置の負荷を抑えることができる。
【００１２】
また、前記ホスト装置の前記顔画像取得手段を、架電した携帯端末から前記管理区域への入退室を希望しているかどうかにかかる応答を受信する構成としてもよいし、また、無効媒体の識別情報をネガ情報記憶手段に記憶しておき、前記識別情報取得手段が取得した識別情報が、前記ネガ情報記憶手段が記憶する無効媒体の識別情報であるかどうかを判定する構成を設けてもよい。架電した携帯端末から前記管理区域への入退室を希望していない旨の応答を受信した場合や、無効媒体であると判定した場合には、前記顔画像取得手段による携帯端末への架電を行うことなく、認証対象者を適正な登録者でないと判定すればよい。
【００１３】
さらに、カメラで撮像した前記管理区域の出入口周辺の撮像画像を録画する録画手段、
を備えた監視装置を設け、認証対象者を適性な登録者でないと判定したときに、前記カメラによる前記管理区域の出入口周辺の撮像画像の録画を開始する構成としてもよい。
【発明の効果】
【００１４】
この発明によれば、登録者になりすまして管理区域に入室、または管理区域から退出しようとした未登録者を、エリア内に閉じ込めることができる。したがって、登録者になりすまして管理区域の入退室を試みる未登録者の行為を抑制することができ、管理区域のセキュリティの向上が図れる。
【発明を実施するための最良の形態】
【００１５】
以下、この発明の実施形態である入退室管理システムについて説明する。
【００１６】
まず、この実施形態の入退室管理システムの概要について説明する。図１は、この実施形態の入退室管理システムの概要を説明する図である。この実施形態の入退室管理システムは、エリア１内に設けた管理区域２における入退室者を管理するシステムであり、管理区域２に対して不正に入退室しようとしている未登録者の存在を検知する機能、および検知した未登録者をエリア１内に閉じ込める機能を有している。図１では、エリア１内に３つの管理区域２を設けた例を示しているが、エリア１内に設けられる管理区域２の個数は３つに限定されることはなく、１つ以上であればよい。この実施形態の入退室管理システムは、図１に示すエリア１を、１つ以上管理することができる。
【００１７】
エリア１は、例えば、ビル等の建屋のフロアに形成された空間であり、各出入口には扉５が設けられている。扉５の外側は、例えばエレベータホールや、非常階段につながる通路が形成されている。管理区域２の出入口にも扉６が設けられている。エリア１、および管理区域２には、１つ以上の出入口が設けられていればよい。各扉５、６には、電子錠７が取り付けられている。後述する電子錠制御装置が、電子錠７の施錠・解錠を制御する。エリア１は、例えば会社のオフィスであり、管理区域２は、オフィス内に設けられた役員室、金庫室、サーバ室等である。エリア１は、この実施形態の入退室管理システムが入退室者を管理する空間であってもよいし、特に入退室者を管理しない空間であってもよい。ここでは、エリア１については、入退室者を管理しない空間として説明する。一方、管理区域２は、この実施形態の入退室管理システムが入退室者を管理する空間である。通常、扉５の電子錠７は解錠されており、扉６の電子錠７は施錠されている。また、いずれかの管理区域２について入退出が許可されている人には、後述するＲＦタグ等の無線通信媒体が発行されている。エリア１については、不特定の人が入退出できるが、各管理区域２については、その管理区域２の入退室が許可されている登録者のみが入退室できる。
【００１８】
図２は、この発明の実施形態である入退室管理システムの構成を示す図である。この実施形態の入退室管理システムは、システム全体を統括的に制御するホスト装置１０と、エリア１、および管理区域２の扉５、６毎に取り付けられている電子錠７の施錠・解錠を個別に制御する電子錠制御装置２０と、無線通信媒体８から識別情報（以下、ＩＤと言う。）を読み取る読取装置３０と、管理区域２の扉６周辺の撮像画像を録画したり、管理区域２周辺で警告報知を行う監視装置４０と、を備えている。ホスト装置１０は、電子錠制御装置２０、読取装置３０、および監視装置４０と有線、または無線で接続されており、これらの装置とデータ通信可能に構成されている。また、ホスト装置１０は、テレビ電話通信機能を有する任意の携帯電話９と携帯電話網を介してテレビ電話通信が行える構成である。電子錠制御装置２０は、ホスト装置１０からの指示にしたがって、各電子錠７の施錠・解錠を制御する。
【００１９】
図３は、管理区域の出入口に設けられた扉６周辺を示す図である。図３に示すように、読取装置３０は、管理区域２の扉６に対して２つ設けており、一方が該当する扉６から管理区域２への入室を希望する入室者用であり、他方が該当する扉６から管理区域２外への退室を希望する退室者用である。入室者用の読取装置２０の無線通信エリアは、管理区域２の外側で、且つこの管理区域２の扉６周辺であり、退室用の読取装置２０の無線通信エリアは、管理区域２の内側で、且つこの管理区域２の扉６周辺である。読取装置３０は、無線通信エリア内に位置する無線通信媒体８との無線通信により、この無線通信媒体８が記憶するＩＤを読み取る。
【００２０】
また、監視装置４０には、監視カメラ５１や、スピーカ５２が接続されている。監視カメラ５１も、読取装置３０と同様に、管理区域２の扉６に対して２つ設けており、一方が該当する扉６から管理区域２へ入室する入室者用であり、他方が該当する扉６から管理区域２外へ退室する退室者用である。入室者用のカメラ５１の撮像エリアは、入室者用の読取装置２０の無線通信エリアと略等しいエリアであり、退室者用のカメラ５１の撮像エリアは、退室者用の読取装置２０の無線通信エリアと略等しいエリアである。また、スピーカ５２は、管理区域２の扉６周辺や、エリア１内の適当な場所に取り付けられている。監視装置４０は、ホスト装置１０からの指示にしたがって、監視カメラ５１で撮像されている監視画像の録画や、スピーカ５２からの警告報知等を行う。
【００２１】
図４は、この実施形態の入退室管理システムにおけるホスト装置の主要部の構成を示す図である。ホスト装置１０は、本体の動作を制御する制御部１１と、各管理区域２の入退室者の管理に用いるデータベース（ＤＢ）を記憶する記憶部１２と、電子錠制御装置２０、読取装置３０、監視装置４０等の機器とデータ通信を行う送受信部１３と、携帯電話網等を介して任意の携帯電話９との間でテレビ電話通信を行う通信部１４と、を備えている。記憶部１２は、扉管理ＤＢ１５、判定用ＤＢ１６、登録者ＤＢ１７、強制施錠ＤＢ１８、および、ネガＤＢ１９を記憶している。扉管理ＤＢ１５は、読取装置１２毎に、その読取装置１２のＩＤ（以下、装置ＩＤと言う。）と、この読取装置２０が取り付けられている扉６のＩＤ（以下、扉ＩＤと言う。）と、入退室用の区別と、を対応づけたデータを登録したデータデースである。判定用ＤＢ１６は、扉ＩＤと、この扉６が設けられた管理区域２の入退室を許可する登録者の氏名と、この登録者に発行した無線通信媒体８のＩＤ（以下、媒体ＩＤと言う）を対応づけたデータを登録したデータデースである。登録者ＤＢ１７は、登録者毎に、その登録者に発行した無線通信媒体８の媒体ＩＤと、この登録者が所有するテレビ電話通信機能を有する携帯電話９の電話番号と、この登録者の顔の特徴量と、を対応づけたデータを登録したデータベースである。強制施錠ＤＢ１８は、扉ＩＤと、この扉６から管理区域２に不正に入退室しようとしている未登録者を検知したときに、電子錠７を強制施錠する扉５、６を示す扉ＩＤと、を対応づけたデータを登録したデータベースである。ネガＤＢ１９は、紛失、盗難等で無効にした無線通信媒体８（無効媒体）の媒体ＩＤを登録しデータベースである。
【００２２】
なお、ここで示した、記憶部１２が記憶するＤＢは、その１例であり、後述する処理を行うのに必要なデータを登録したＤＢであれば、他の形式であってもよい。例えば、ネガＤＢ１９に代えて、発行済みの無線通信媒体８であって、現時点で有効である無線通信媒体８の媒体ＩＤを登録した有効ＤＢとしてもよいし、判定用ＤＢ１６および登録者ＤＢの２つのＤＢを、扉ＩＤに、この扉６が設けられた管理区域２の入退室を許可する登録者の氏名、この登録者に発行した無線通信媒体８の媒体ＩＤ、この登録者が所有する携帯電話９の電話番号、および、この登録者の顔の特徴量と、を対応づけたデータを登録したデータベースとしてもよい。
【００２３】
ホスト装置１０の送受信部１３は、電子錠制御装置２０、読取装置３０、および監視装置４０との間におけるデータ通信を制御するインタフェース機能を有している。また、通信部１４は、携帯電話網等を介して任意の携帯電話９に架電し、回線が接続された携帯電話９との間でテレビ電話通信を行う。後述するように、ホスト装置１０は、携帯電話９との間におけるテレビ電話通信で、当該携帯電話９の所有者の顔画像を取得できればよく、携帯電話９に対して画像を送信する機能を有していなくてもよい。
【００２４】
図５は、この実施形態の入退室管理システムにおける電子錠制御装置の主要部の構成を示す図である。電子錠制御装置２０は、本体の動作を制御する制御部２１と、電子錠７の施錠、解錠を行う施錠・解錠部２２と、ホスト装置１０と通信する送受信部２３と、を備えている。施錠・解錠部２２は、エリア１の扉５、および管理区域２の扉６に取り付けられている電子錠７毎に、施錠、解錠を制御する。具体的には、ホスト装置１０から解錠することが指示されている扉５、６については電子錠７を解錠し、ホスト装置１０から施錠することが指示されている扉５、６については電子錠７を施錠する。送受信部２３は、各扉５、６に取り付けられている電子錠７の施錠、解錠にかかるホスト装置１０からの指示を受信する。
【００２５】
また、管理区域２の扉６には、開閉状態を検知する開閉検知センサ（不図示）が取り付けられており、この開閉検知センサの出力が電子錠制御装置２０に入力されている。すなわち、電子錠制御装置２０は、管理区域２の扉６毎に、開閉状態を得ている。
【００２６】
図６は、この実施形態の入退室管理システムにおける読取装置の主要部の構成を示す図である。読取装置３０は、本体の動作を制御する制御部３１と、無線通信媒体８と無線通信を行う無線通信部３２と、無線通信部３２で無線通信媒体８から読み取った媒体ＩＤをホスト装置１０へ送信する送信部３３と、を備えている。無線通信部３２は、無線通信エリア内に位置する無線通信媒体８と無線通信が行える。この無線通信エリアは、上述したように、管理区域２の扉６周辺に形成されている。また図７は、監視装置４０の主要部の構成を示す図である。監視装置４０は、本体の動作を制御する制御部４１と、監視カメラ５１で撮像されている撮像画像を録画する録画部４２と、スピーカ５２から警告報知を行う報知部４３と、ホスト装置１０とのデータ通信を行う送受信部４４と、を備えている。録画部４２は、通常監視カメラ５１で撮像されている撮像画像を録画しておらず、ホスト装置１０から録画指示があったときに、該当する監視カメラ５１で撮像されている撮像画像の録画を行う。監視カメラ５１は、常時撮像を行っている構成であってもよいし、ホスト装置１０から録画指示があったときに、撮像を行う構成であってもよい。報知部４３は、ホスト装置１０からの指示にしたがって、警告音や、警告音声による警告報知を行う。送受信部４４は、ホスト装置１０から送信されてきた、上記の録画指示や、警告報知にかかる指示を受信する。また、送受信部４４は、録画部４２において録画している画像（監視カメラ５１で撮像している監視画像）を、ホスト装置１０へ送信することもできる。
【００２７】
以下、この実施形態の入退室管理システムの動作について説明する。図８は、この実施形態の読取装置の動作を示すフローチャートである。読取装置２０は、無線通信部３２において、無線通信エリア内に位置する無線通信媒体８から送信されてきた媒体ＩＤを受信すると（ｓ１）、今回受信した媒体ＩＤと、自機を識別する装置ＩＤと、を含む入退室要求を、送信部３３からホスト装置１０へ送信する。各読取装置３０は、装置ＩＤを制御部３１に設けられているメモリに記憶している。上述したように、入室者用の読取装置３０の無線通信エリアは、管理区域２の外側で、且つ扉６の周辺であるので、管理区域２への入室を希望する者は、必ず入室者用の読取装置３０の無線通信エリア内に入る。したがって、この者が無線通信媒体８を所持していれば、この無線通信媒体８の媒体ＩＤが読取装置３０に読み取られる。同様に、退室者用の読取装置３０の無線通信エリアは、管理区域２の内側で、且つ扉６の周辺であるので、管理区域２からの退出を希望する者は、必ず退室者用の読取装置３０の無線通信エリア内に入る。したがって、退室希望者が無線通信媒体８を所持していれば、この無線通信媒体８の媒体ＩＤが読取装置３０に読み取られる。
【００２８】
なお、電子錠制御装置２０が、通常、管理区域２の扉６に取り付けられている電子錠７を施錠しているので、無線通信媒体８を所持していない人の管理区域２の入退室については防止できている。
【００２９】
図９、および図１０は、この実施形態のホスト装置の動作を示すフローチャートである。ホスト装置１は、読取装置３０から送信されてきた入退室要求を受信すると（ｓ１１）、この入退室要求に含まれている媒体ＩＤがネガデータベース１９に登録されている無効媒体の媒体ＩＤであるかどうかを判定する（ｓ１２）。ホスト装置１０は、ｓ１２で無効媒体でないと判定すると、今回受信した入退室要求に含まれている装置ＩＤ、および媒体ＩＤをキーにして、記憶部１２に記憶しているＤＢを検索し、
（１）認証対象者に対して、入退室を許可している管理区域２
（２）認証対象者が、入退室を希望している管理区域２
（３）認証対象者が所有する携帯電話９の電話番号
（４）認証対象者の顔の特徴量
（５）認証対象者の氏名
の情報を取得する（ｓ１３）。
【００３０】
具体的に、今回受信した入退室要求に含まれている媒体ＩＤをキーにして判定用ＤＢ１６を検索し、登録者の氏名、およびこの登録者に対して入退室が許可されている管理区域２の扉ＩＤを取得する。また、今回受信した入退室要求に含まれている媒体ＩＤをキーにして、登録者ＤＢ１７を検索し、該当する登録者の携帯電話９の電話番号、および登録者の顔の特徴量を取得する。さらに、今回受信した入退室要求に含まれている装置ＩＤをキーにして扉管理ＤＢ１５を検索し、該当する扉ＩＤおよび入退室用の区別を取得する。
【００３１】
ホスト装置１０は、認証対象者が許可されている管理区域２の入退室を希望しているのかどうかを判定する（ｓ１４）。ホスト装置１０は、ｓ１４で許可されている管理区域であると判定すると、通信部１４において、登録者の携帯電話９に架電する（ｓ１５）。そして、ホスト装置１０は、架電した携帯電話９との回線が接続されると（ｓ１６）、管理区域への入退室を希望しているかどうかを問い合わせる音声メッセージを出力する（ｓ１７）。ｓ１７では、例えば「○○さん（登録者の名前）、××部屋（管理区域２の部屋の名前）の入退室を希望している場合は「＊＊」を、心当たりのない場合は「＃＃」を入力してください。」という音声メッセージを出力する。
【００３２】
携帯電話９の所有者である登録者は、この音声メッセージに応答し、管理区域２の入退室を希望している場合にはダイヤルキーを操作して「＊＊」を入力し、今回の音声メッセージに対して心当たりがない場合にはダイヤルキーを操作して「＃＃」を入力する。ここで、携帯電話９の所有者が今回の音声メッセージに対して心当たりがない場合とは、この登録者に対して発行されている無線通信媒体９、または偽造媒体を所持した者が、管理区域２の入退室を希望している場合である。すなわち、この音声メッセージにより、登録者に対して、無線通信媒体９の紛失、盗難や、偽造媒体の存在を速やかに認識させ、その旨をホスト装置１０に通知させる（＃＃を入力させる）ことができる。すなわち、登録者になりすましている未登録者の存在を、積極的に検知することができる。
【００３３】
ホスト装置１０は、ｓ１７で音声メッセージを出力すると、携帯電話９からのトーン信号を受信するか（ｓ１８）、この携帯電話９との回線が切断されるの待つ（ｓ１９）。ホスト装置１０は、通信部１４において携帯電話９から送信されてきたトーン信号を受信すると、このトーン信号が「＊＊」であるか、「＃＃」であるかを判定する（ｓ２０）。ホスト装置１０はｓ２０で「＊＊」であると判定すると、携帯電話９に対してテレビ電話機能による顔画像の送信を要求する音声メッセージを出力する（ｓ２１）。ｓ２１では、例えば「○○さん、顔を撮像して送信してください。」という音声メッセージを出力する。
【００３４】
携帯電話９の所有者は、携帯電話９のテレビ電話機能により自分の顔を撮像した顔画像をホスト装置１０に送信する。ホスト装置１０は、携帯電話９から送信されてきた顔画像を複数フレーム取得し（ｓ２２）、ここで取得した複数フレームの顔画像が生体を撮像したものであるか、写真等の非生体を撮像したものであるかを判定する（ｓ２３）。ｓ２３では、ｓ２２で抽出した複数フレームの顔画像において、目や口等の顔部品に動きがあるかどうか検出し、顔部品に動きがあれば生体を撮像したものであると判定する。また、ホスト装置１０が、携帯電話９の所有者に対して、テレビ電話機能による顔画像の送信の際に、瞬きや、口を動かすように指示する構成としてもよい。
【００３５】
ホスト装置１０は、ｓ２３で生体であると判定すると、ｓ２２で抽出したいずれかのフレームを用いて、認証対象者が登録者であるかどうかを判定する顔認証処理を行う（ｓ２４）。ｓ２４では、今回携帯電話９とのテレビ電話通信で得た認証対象者の顔画像から得られる顔の特徴量と、ｓ１３で登録者ＤＢ１７から得た登録者の顔の特徴量と、の類似度を算出し、ここで算出した類似度が予め定めた閾値を超えていれば、認証対象者を登録者であると判定する。言い換えれば、今回携帯電話９とのテレビ電話通信で得た認証対象者の顔画像から得られる顔の特徴量と、ｓ１３で登録者ＤＢ１７から得た登録者の顔の特徴量と、の類似度が予め定めた閾値を超えていなければ、認証対象者を登録者でないと判定する。
【００３６】
ホスト装置１０は、認証対象者を登録者であると判定すると、電子錠制御装置２０に対して該当する扉６（この認証対象者がいる扉６）に取り付けられている電子錠７の解錠を指示し（ｓ２５）、さらに携帯電話９との回線を切断し（ｓ２６）、本処理を終了する。
【００３７】
図１１は、この実施形態の電子錠制御装置の動作を示すフローチャートである。電子錠制御装置２０は、ホスト装置１０からの解錠指示、または強制施錠指示を受信するのを待っている（ｓ４１、ｓ４２）。電子錠制御装置２０は、送受信部２３において、ホスト装置１０からの解錠指示を受信すると、この解錠指示において指示されている扉６の電子錠７を解錠する（ｓ４３）。その後、この扉６が開状態になるか、一定時間（例えば、４〜５ｓ）経過するのを待つ（ｓ４４、ｓ４５）。電子錠制御装置２０は、扉６に取り付けられている開閉検知センサの出力により、扉６の開閉状態を得ている。電子錠制御装置２０は、扉６が開状態になったことを検出すると、再びこの扉６が閉状態になるのを待つ（ｓ４６）。すなわち、認証対象者が扉６を開けて、管理区域２に入室、または管理区域から退出し、扉６が再び閉状態になるのを待つ。そして、扉６が再び閉状態になると、この扉６に取り付けられている電子錠７を施錠し（ｓ４７）、本処理を終了する。
【００３８】
また、電子錠制御装置２０は、ｓ４５で扉６が開されることなく、一定時間経過したと判定すると、ｓ４７で、この扉６に取り付けられている電子錠７を施錠し、本処理を終了する。このような状況は、認証対象者が、何らかの理由で、管理区域２の入退室を取りやめたと考えられる。そこで、一旦解錠した電子錠７を、ｓ４７で再び施錠することにより、この管理区域２に対して、未登録者が入退室するのを防止している。
【００３９】
また、ホスト装置１０は、上述したｓ１９で携帯電話９との回線が接続されたと判断すると、本処理を終了する。このような状況は、認証対象者が、何らかの理由で、管理区域２の入退室を取りやめたと考えられるので、ホスト装置１０における処理を中止しても、何ら問題は生じない。
【００４０】
また、ホスト装置１０は、ｓ１４で許可されていない管理区域２の入退室を希望していると判定すると、認証対象者が管理区域２への入室を希望しているのか、管理区域２からの退出を希望しているのかを判定する（ｓ２７）。ホスト装置１０は、ｓ２７で入室を希望していると判定すると、本処理を終了する。このような状況は、この認証対象者がエリア１内を移動しているときに、たまたま読取装置３０の無線通信エリア内に入ったと考えられるので、ホスト装置１０における処理を中止しても、何ら問題は生じない。一方、ホスト装置１は、ｓ２７で退出を希望していると判定すると、警備室等への通知を行い（ｓ２８）、本処理を終了する。このとき、ホスト装置１０は、電子錠制御装置２０に対して電子錠７の解錠指示を与えない。したがって、管理区域２内にいる未登録者は、管理区域２から外に出ることはできない。これにより、許可されていない管理区域２に共連れ等で入室した未登録者については、管理区域２内に閉じ込めることができる。また、ｓ２８で警備室等へ通知しているので、警備員等が、この未登録者を簡単に捕まえることができる。
【００４１】
さらに、ホスト装置１０は、ｓ１２で無効媒体であると判定した場合、ｓ２０で「＃＃」が入力されたと判定した場合、ｓ２３で非生体であると判定した場合、およびｓ２４で認証対象者が登録者でないと判定した場合、認証対象者が管理区域２の入退室を不正に行おうとしている未登録者であると判断し、この未登録者を閉じ込めるために、強制施錠すべき扉５、６を検出する（ｓ２９）。この検出は、この未登録者がいる扉６の扉ＩＤをキーにして、強制施錠ＤＢ１８を検索することにより行われる。例えば、当該管理区域２が設けられている、エリア１の全ての出入口の扉５を強制施錠すべき扉として検出する。ホスト装置１０は、ｓ２９で検出した強制施錠すべき扉５、６についての強制施錠を、電子錠制御装置２０に通知する（ｓ３０）。
【００４２】
また、この未登録者が管理区域２に入室を希望している場合、この管理区域２が設けられているエリア１の出入口の扉５、およびこのエリア１内に設けられている全ての管理区域２の扉６を、強制施錠すべき扉５、６として検出する。一方、この未登録者が管理区域２からの退室を希望している場合、この管理区域２の各出入口に設けられている扉６のみを、強制施錠すべき扉６として検出するようにしてもよい。この場合、強制施錠ＤＢ１８を、装置ＩＤと、強制施錠する扉ＩＤと、を対応づけたデータベースとすればよい。
【００４３】
電子錠制御装置２０は、ｓ４２で、ホスト装置１０から電子錠７の強制施錠にかかる通知を受けると、この通知において施錠することが指示されている扉５、６の電子錠７を施錠する、強制施錠処理を行う（ｓ４８）。ｓ４８では、ホスト装置１０からの通知において施錠することが指示されている扉５、６の電子錠７であって、この時点で解錠されている電子錠７を施錠する処理である。言い換えれば、この時点で施錠されている電子錠７を一時的に解錠することはない。
【００４４】
また、ホスト装置１０は、ｓ３０で電子錠制御装置２０に対して強制施錠を通知すると、未登録者がいる無線通信エリアを撮像している監視カメラ５１の撮像画像の録画を監視装置４０に指示する（ｓ３１）。また、このときスピーカ５２からの警告報知も合わせて監視装置４０に指示する。この指示を送受信部４４で受信した監視装置４０は、録画部４２において、該当する監視カメラ５１の撮像画像の録画を開始する。このとき、監視カメラ５１が撮像を停止していれば、監視カメラ５１に撮像を開始させて、録画を開始する。また、報知部４３は、未登録者の存在を検知したことを、周辺にいる人に通知する警告報知を行う。
【００４５】
このように、この実施形態の入退室管理システムは、管理区域２の入退室を希望している登録者の携帯電話９に架電し、テレビ電話通信により取得した顔画像を用いた顔認証処理により、認証対象者が登録者であると判定した場合に、管理区域２の扉６に取り付けられている電子錠７を、一時的に解錠して管理区域２の入退室を許可する。したがって、盗難や紛失にかかる無線通信媒体８や、偽造媒体８を用いた、管理区域２の不正な入退室に対するセキュリティを十分に向上させることができる。また、管理区域２の入退室を不正に行おうとした未登録者を検知したときには、その未登録者を管理区域２内、またはエリア１内に閉じ込めるとともに、監視カメラ５１で撮像し、その撮像画像を録画するので、この未登録者を容易に捕まえることができる。したがって、登録者になりすまして管理区域の不正な入退室を試みる未登録者の行為を抑制することができ、管理区域のセキュリティの向上が図れる。
【００４６】
また、ｓ１２で無効媒体であると判定した場合、ｓ２０で「＃＃」が入力されたと判定した場合、およびｓ２３で非生体であると判定した場合には、認証対象者についての顔認証処理を行わないので、ホスト装置１０の負荷も抑えられる。
【００４７】
なお、上記実施形態では、登録者に無線通信媒体９を発行するとしたが、登録者に発行する媒体はＩＤを記憶させることができる媒体であればよく、例えば磁気カード、ＩＣカード、非接触ＩＣカード等、他の種類の媒体を用いてもよい。この場合、読取装置３０は、使用する媒体からＩＤを読み取ることができる構成にすればよい。
【００４８】
また、エリア１における入退室者についても管理する場合には、エリア１の出入口においても、上述した管理区域２の出入口と同様に、読取装置３０を配置し、同様の処理を行えばよい。
【００４９】
さらに、アンチパスバックの発生有無を検出する機能を付加的に設け、セキュリティを一層向上させることもできる。
【図面の簡単な説明】
【００５０】
【図１】この発明の実施形態である入退室管理システムの概要を説明する図である。
【図２】この発明の実施形態にかかる入退室管理システムを示す図である。
【図３】この実施形態の入退室管理システムにおける管理区域の扉周辺を説明する図である。
【図４】この実施形態の入退室管理システムにおけるホスト装置の主要部の構成を示す図である。
【図５】この実施形態の入退室管理システムにおける電子錠制御装置の主要部の構成を示す図である。
【図６】この実施形態の入退室管理システムにおける読取装置の主要部の構成を示す図である。
【図７】この実施形態の入退室管理システムにおける監視装置の主要部の構成を示す図である。
【図８】この実施形態の入退室管理システムにおける読取装置の動作を示すフローチャートである。
【図９】この実施形態の入退室管理システムにおけるホスト装置の動作を示すフローチャートである。
【図１０】この実施形態の入退室管理システムにおけるホスト装置の動作を示すフローチャートである。
【図１１】この実施形態の入退室管理システムにおける電子錠制御装置の動作を示すフローチャートである。
【符号の説明】
【００５１】
１−エリア
２−管理区域
５、６−扉
７−電子錠
８−無線通信媒体
９−携帯電話
１０−ホスト装置
２０−電子錠制御装置
３０−読取装置
４０−監視装置
５１−監視カメラ
５２−スピーカ
【図１】
2008266988.tif 000003
【図２】
2008266988.tif 000004
【図３】
2008266988.tif 000005
【図４】
2008266988.tif 000006
【図５】
2008266988.tif 000007
【図６】
2008266988.tif 000008
【図７】
2008266988.tif 000009
【図８】
2008266988.tif 000010
【図９】
2008266988.tif 000011
【図１０】
2008266988.tif 000012
【図１１】
2008266988.tif 000013